(57)【要約】【課題】  アンモニア水を用いて試験体のキズ等を検知するためのアンモニア漏れ試験用の使用用具を一体的に収納するアンモニア漏れ試験用キットを提供する。【解決手段】  アンモニア漏れ試験用キット１００はその収納ケース１内に各種の用具をコンパクトに収納するものからなる。用具としては、検知剤２、アンモニア水収納容器３、アンモニア気化用容器４、アルミ箔テープ５、アンモニア水計量用注射器６、校正用試験片７等が収納される。【選択図】  図１
0003122803.tif 000002
【実用新案登録請求の範囲】
【請求項１】
試験体に供給されるアンモニアガスの漏れを検知して該試験体のキズの有無を検出するために使用される各種の試験用用具を収納するアンモニア漏れ試験用キットであって、該キットは、前記試験体から漏出するアンモニアガスを検知するための検知剤及びこの検知剤を吹き付けた検知テープと、アンモニア水及びこれを収納するアンモニア収納容器と、加熱手段を有する密閉容器からなりその内部に注入されたアンモニア水を気化するためのアンモニア気化用容器と、前記試験体を密閉するためのアルミ箔テープと、適量のアンモニア水を注入するためのアンモニア水計量用注射器と、前記試験体のアンモニアガスの漏れの妥当性を確認するための貫通孔を形成してなる校正用試験片と、試験時における各部に付着している汚染物や油等を除去するための洗浄液と、ビニールホースやポリエチレン袋又は容器等の補助用具と、前記の各種の用具を所定位置に収納し蓋閉止の状態で手動で自由に持ち運び可能に形成されるコンパクトの収納ケースとを備えることを特徴とするアンモニア漏れ試験用キット。
【考案の詳細な説明】
【技術分野】
【０００１】
本考案は、試験体のキズ等の有無をアンモニアガスの漏出状態を用いて検知するための漏れ検知用の各種用具を一体的に収納するコンパクト構造のアンモニア漏れ試験用キットに関する。
【背景技術】
【０００２】
従来のアンモニア漏れ試験方法としてはアンモニアガスが使用されるのが一般であるが、このアンモニアガスは高圧ボンベに収納されているものを使用しなければならなかった。そのため、一般産業界において気軽に漏れ試験をすることが困難であった。しかしながら、ＪＩＳ改正によりアンモニアガスを直接用いずにアンモニア水を用いて漏れ試験をすることが可能となり、このアンモニア水を用いてアンモニアガスを発生せしめて試験体のキット等の発見をすることが認められてきた。なお、従来適用されてきたアンモニアガスを用いた公知の試験方法としては「特許文献１」が挙げられる。
【特許文献１】特開２００４−１２５７５１
【考案の開示】
【考案が解決しようとする課題】
【０００３】
しかしながら、前記のようにアンモニア水を用いて漏れ試験を行うことが可能になったとしても、いざ試験をする場合には各種の用具が必要となるが、従来ではこれ等の用具のすべてを整然と収納しているキットの如きものはなく、漏れ試験に当ってその都度各種用具を準備する必要があり、極めて不便であった。また、キットについてもコンパクトのもので気楽に任意の場所に移動可能なものが必要であった。
【０００４】
本考案は、以上の事情に鑑みて考案されたものであり、アンモニア水を用いて試験体のキズ等の状態を検知する漏れ試験用に使用されるすべての用具を一体的に収納するキットからなり、コンパクトで持ち運び可能なアンモニア漏れ試験用キットを提供することを目的とする。
【課題を解決するための手段】
【０００５】
本考案は、以上の目的を達成するために、請求項１の考案は、試験体に供給されるアンモニアガスの漏れを検知して該試験体のキズの有無を検出するために使用される各種の試験用用具を収納するアンモニア漏れ試験用キットであって、該キットは、前記試験体から漏出するアンモニアガスを検知するための検知剤及びこの検知剤を吹き付けた検知テープと、アンモニア水とこれを収納するアンモニア収納容器と、加熱手段を有する密閉容器からなりその内部に注入されたアンモニア水を気化するためのアンモニア気化用容器と、前記試験体を密閉するためのアルミ箔テープと、適量のアンモニア水を注入するためのアンモニア水計量用注射器と、前記試験体のアンモニアガスの漏れの妥当性を確認するための貫通孔を形成してなる校正用試験片と、試験時における各部に付着している汚染物や油等を除去するための洗浄液と、ビニールホースやポリエチレン袋等の補助用具と、前記の各種の用具を所定位置に収納し蓋閉止の状態で手動で自由に持ち運び可能に形成されるコンパクトの収納ケースとを備えることを特徴とする。
【考案の効果】
【０００６】
本考案の請求項１に記載のアンモニア漏れ試験用キットによれば、アンモニア水を含む試験体の漏れ試験に必要なすべての用具がキット内に整然と収納されているため、漏れ試験に当っては、その都度用具を準備する必要がなく、気軽に一般産業界においても試験が可能となり、コンパクトで、かつ持ち運び可能に形成されているため、任意の場所で漏れ試験を実施することができる。また、キットのため、各用具の保存状態が明確にわかり、メンテナンス性の向上も図れる。
【考案を実施するための最良の形態】
【０００７】
以下、本考案のアンモニア漏れ試験用キットの実施の形態を図面を参照して詳述する。
図１に示すように、本考案のアンモニア漏れ試験用キット１００は、収納ケース１（図１の（ａ）に示す）と、この収納ケース１内に整然と所定位置に収納されている各種の試験用の用具からなる。
収納ケース１は図示のように前記用具を収納するための収納部１ａと、収納部１ａの開口側を開閉自在に閉止するための蓋部１ｂと収納ケース１を持ち運ぶための取手１ｃ等とからなる。なお、収納ケース１としては木製のものやプラスチック製のものが一般に使用されるが、勿論これに限定するものではない。
【０００８】
前記用具は、図１（ｂ）に示すように収納部１ａ内の所定位置に持ち出し可能に整然と並べられているものからなり、検知剤２及び検知剤２を吹き付けた検知テープ２ａと、アンモニア水３ａを収納するためのアンモニア水収納容器３と、アンモニア気化用容器４と、アルミ箔テープ５と、アンモニア水計量用注射器６と、校正用試験片７と、洗浄液８と、ビニールホース９と、ポリエチレン袋１０やウエス１０ａ等とからなり、漏れ試験のやり方を説明するための取り扱い説明書（図略）も収納されている。以下、これ等の用具の詳細内容を説明する。
【０００９】
１）アンモニア検知剤２（エアゾール型）２本（１本は予備とする）及びアンモニア検知テープ２ａ：１０ｍ
貫通孔から漏れ出るアンモニアガスを検知するための検知剤２である。エアゾール型の場合、微細な検知剤の粉末を検査表面に塗布することが可能である。特にコーナー部分等で検知テープの貼り付けの困難な表面への検知剤の適用が可能となる。但し、検知剤の吹き付けによる周囲への粉末の飛散による環境汚染問題を生じ易いので注意が必要である。検知剤をテープに塗布した検知テープ２ａの場合、検知剤粉末による周囲汚染の問題が無い利点がある。
２）アンモニア水３ａ（２５％）：５００ｇ入り１本
従来の方法の場合、アンモニアガスの供給源として高圧のアンモニアガスボンベを使用しているため、運搬取り扱いに関する高圧ガスの法則制や、アンモニアガスの法則制があり、一般の使用者が簡単にアンモニア漏れ試験方法を適用することができなかった。アンモニアガスの供給源として、薬局で用意に入手可能なアンモニア水３ａを使用でき、アンモニア水３ａを気化させることにより、容易にアンモニアガスを発生させるものである。また、アンモニア水３ａの気化に伴い、発生する微小（２０〜３０ｍｍＨｇ）圧力を利用することにより、気体は、圧力の高い方から低い方に移動するので貫通漏れ孔からアンモニアガスが漏れだし、検知剤２と反応して漏れ指示模様を作成することができる。
３）アンモニア水収納容器３
アンモニア水３ａが漏れて収納ケース１内にアンモニアガスが滞留して、他の収納品を汚染させないよう、アンモニア水入りボトルを収納する密閉性の高い収納ケースに入れて、二重容器に保管しガス漏れ防止を図るもの。
４）アンモニア気化用容器４（電気ポット又は温水ポット）
アンモニア水３ａを自然気化させアンモニアガスを発生させる方法に対し、密閉容器に加熱用ヒーターを取り付けた電気ポットにより、効率的にアンモニアガスを発生させる。加熱することにより、気体が膨張し圧力を増加させることが可能になり、試験時間を短縮にすることが可能になる。電源の準備が困難な場合、温水ポットの熱によりアンモニア水３ａを気化させる。
５）アルミ箔テープ５
２０ｍ長さ１巻，金属なので気体を透過させず、アルミ材なので柔らかで試験体の凹凸のある曲面に対応可能で、また、試験の圧力（２０〜３０ｍｍＨｇ）と低いので接着力が強いテープで十分にシールに適する。試験用のアンモニアガスを密閉させる作業がアルミ箔テープ５を貼り付けるだけで可能になり、従来のフランジを締め付け方法に必要なボルト締め付け作業も不用になり、閉止段取りの工数の大幅な低減が可能になる。
６）アンモニア水計量用注射器６
１本、試験容積により必要とする適正な量のアンモニア水を計量するために使用する。
７）校正用試験片７
１枚板（５，１０μｍ孔付き）からなり、試験の妥当性を確認するために使用する。試験片の漏れ貫通孔が漏れ指示模様として確認できる時、試験条件（試験用のアンモニアガス濃度、試験放置時間）は正しいことが保証される。
８）洗浄液８
５００ｇ入り２本（１本は予備とする）、金属テープの接着面の汚染物を取り除く洗浄作業や試験表面の油や汚染物を除去するために用いる。
９）ビニールホース９
孔径：１０ｍｍ、長さ：５００ｍｍ、試験体とポリエチレン袋を連結、一体化させる。
１０）ポリエチレン袋（１０）やウエス（１０ａ）
４枚。従来、漏れ試験片を取り付けるために金属製のアンモニアガス保持容器を準備していたが、ケースに収納するのに大きな空間を必要としていた。試験圧力が低いことを考慮して、金属製の容器に比べ折りたたみが可能で収納容易なポリエチレン袋とする（試験体と試験片を連結する容器）。試験片の裏側に貼り付け、試験体とホースで連結させることにより見かけ上試験体と一体化する。ウエス（１０ａ）は試験面の油や汚水を除去するために使用する。
【００１０】
次に、以上の各種用具を用いての試験体の漏れ試験方法の一例を図２により説明する。
試験体として本実施例では２００ｌ以下の容器１１が使用される。この容器１１は図示のように多くの溶接線１２を有するものからなり、この溶接線１２の部分にキズ等が生じて漏洩の生ずる恐れがあり、本試験はこの容器１１のキズ等の有無を検知することにある。
【００１１】
容器１１はその開口側を試験用蓋１３により閉止され、試験用蓋１３と容器１１との間にはアルミ箔テープ５により密閉される。なお、洗浄液８やウエス１０ａ等を用いて予め試験用の容器１１を清浄化する。一方、校正用試験片７は数μｍの孔を有する板片からなり図示のように試験片受台１４上に水平に搭載される。また、校正用試験片７の下方にはポリエチレン袋１０又は容器が前記の数μｍの貫通孔１５を内在させる形で密閉状に取着される。このポリエチレン袋１０又は容器と試験用蓋１３とはビニールホース９により連結され、このビニールホース９の途中にはアンモニア気化用容器４が介設される。
【００１２】
まず、アンモニア水計量用注射器６を用いて容器１１の容量に見合う量のアンモニア水３ａをアンモニア収納容器３から取り出してアンモニア気化用容器４内又は試験用の容器１１に注入する。
【００１３】
アンモニア気化用容器４内に注入されたアンモニア水３ａは加熱されてアンモニアガスとなり、このアンモニアガスはビニールホース９に入り容器１１内やポリエチレン袋１０内に導入される。このアンモニアガスは校正用試験片７の貫通孔１５から漏出するため、この位置に検知剤２や検知テープ２ａを貼付することにより、この貫通孔１５からのアンモニアガスの漏れが検知される。従って、この校正用試験片７の貫通孔１５と同等又はこれより大きいキズ等が容器１１側にある場合はそのキズ等からもアンモニアガスが漏出し、検知剤２等の貼付により漏れ状態の観察と検知ができる。これにより、容器１１のアンモニア漏洩のテストが確実に行われる。なお、校正用試験片７を使用するのは、仮りにこの校正用試験片７からのアンモニアガスの漏れを確認できない場合において容器１１側にアンモニアガスの漏洩が確認されたとしても試験条件が不安定な状態における漏れであり、容器１１側のキズ等の評価が正確にできないためである。即ち、仮りに校正用試験片７からのアンモニアガスの漏れが確認されているのに容器１１側からの漏れが検知されない場合には容器１１側には校正用試験片７の数μｍよりも大きなキズ等が存在しないことを明確に主張することができ、試験結果の妥当性を明確にすることができる。
【００１４】
アンモニア漏れ試験は以上のように行われるが、前記のように各用具が順次必要となるが、これ等の用具はアンモニア漏れ試験用キット１００から容易に取り出して使用することができ、用済み後は元の位置に戻せばよく、極めて取扱性がよく、試験を効果的に行うことができる。また、保管状態が目視確認できるため、補充作業や交換作業が容易にできメンテナンス性の向上が図れる。また、取手を把持することにより持ち運び可能なため、任意の場所での漏れ試験が容易に行われる。
【産業上の利用可能性】
【００１５】
本考案は、アンモニア漏れ試験を容易に行わせるためのキットについてであるが、試験対象物としては各種のものに適用され、その利用範囲は極めて広い。即ち、アンモニア漏れ試験方法は、ヘリウム漏れ試験担当の検出感度を得ることができるが、従来、試験用のアンモニアガスとして法規制の高圧のアンモニアガスボンベを準備しなければならないため、一部の産業分野（大型ＬＮＧタンクの漏れ試験、圧力が低く、高い検出精度が確保できるため）での適用に限られていた。今回、アンモニアガスの供給方法として、アンモニア水を利用することにより、法規制がなくなり、試験の適用が容易になった。また、試験圧力が低いことは、金属テープでの閉止も可能であり、試験段取りを容易にすると共に高い品質を確保することができ、かつ製造コストの大幅な低減が可能になる。
【図面の簡単な説明】
【００１６】
【図１】本考案のアンモニア漏れ試験用キットの収納ケースの斜視図（ａ）とその内部に収納される用具の収納状態と内容を示す平面図（ｂ）。
【図２】本考案のアンモニア漏れ試験用キットを用いて行うアンモニア漏れ試験の一例を示す模式図。
【符号の説明】
【００１７】
１      収納ケース
１ａ    収納部
１ｂ    蓋部
１ｃ    取手
２      検知剤
２ａ    検知テープ
３      アンモニア水収納容器
３ａ    アンモニア水
４      アンモニア気化用容器
５      アルミ箔テープ
６      アンモニア水計量用注射器
７      校正用試験片
８      洗浄液
９      ビニールホース
１０    ポリエチレン袋
１０ａ  ウエス
１１    容器
１２    溶接線
１３    試験用蓋
１４    試験片受台
１５    貫通孔
１００  アンモニア漏れ試験用キット
【図１】
0003122803.tif 000003
【図２】
0003122803.tif 000004